(57)【要約】      （修正有）【課題】重力エネルギーを源にした電気エネルギーの創生技術を提供する。【解決手段】回転軸中心で対称をなす複数アームが、先端に定量の負荷を配して回転軸上１のホルダー２外周にし、負荷の落下に伴う該軸の回転を図る。回転軸にホルダー４ヶが円周一方向に１５°づつずれつつ等間隔に配列し、回転側となる軸半周のアームを伸長する一方、反回転側アームを縮小する。この時ホルダー外周を６０°毎にする各範囲内の複数アームが、１回転毎に１本づつ順次に伸縮して、頻繁且つ瞬時の伸縮時期に対応する。これで生じしめる回転と反回転のモーメント差の回転力で、発電機を駆動して電気エネルギーを創生する。【選択図】図１
2017075592.tif 000002
【特許請求の範囲】
【請求項１】
水平の回転軸に配列するアーム．ホルダーが、該軸中心の垂直上となる外周の平面中心を起点にした軸円周を均等分割する軸中心角度を範囲とし、軸方向に断続的らせん状をなすように軸円周一方向に均等の軸中心角度をずらしつつ一体的な等間隔で該軸に配列し、短柱状の多角外周にするホルダー複数に、アームをなすエアーシリンダー等が外周を６分割する範囲の外周平面中心に同量の負荷移動レール及び、Ｐｂ等負荷を備え垂直に屹立して複列にする放射状をなして該軸中心の対角で均衡した対をなし、更にはシリンダー伸縮の圧縮エアーを回収して加圧流用し、且つ瞬間的に頻発するアーム伸縮周期を近接センサー等並に反射板等がフレーム等並にアームに配置してアーム１対づつを専一に検知し、同調する複数アームが順次の分担をして延引する淀みない伸長の間を持った上、回転又は反回転側に到達するアームを圧縮エアー等が伸長又は縮小して回転せしめる回転軸複数を、回転主軸に集合して商用に即す電気周波数の回転数で発電する構成にし、更にホルダー外周の平面中心に円錐形穴と一致する形状で突出した取付け部のアームが迅速且つ正確な配置をし、複数アームが相乗して回転角度変化に伴うモーメント変化を疎密に均整すると共に、燃料等を不要にした非環境汚染の回転運動で常時一定の最大出力を低廉に発電し、エネルギー展望に活路を拓くと共に原子力及び火力発電の全面撤廃並に、経済の活性化を促す創生技術によった電気エネルギー。
【数１】
2017075592.tif 000003
【数２】
2017075592.tif 000004
【発明の詳細な説明】
【技術分野】
【０００１】本発明は、重力エネルギーを源にした発電技術に関する。
【背景技術】
【０００２】従来の発電技術には、両端に錘を配す直線状丸棒４本が中心軸の円周方向に均等角度を振分ける等間隔で配置し、軸を中心にする丸棒が軸回転に伴って落下移動する慣性エネルギーを、軸の回転モーメントに変換する（特許文献１）がある。又水平の回転軸外周に、軸中心で対称の対をなすシリンダー多数が、交互の千鳥状且つ干渉ない放射状に屹立して伸縮し、不均衡にしたモーメントで回転する（特許文献２）がある。更に水平の回転軸外周に伸縮スライダー多数が軸中心で対をなす放射状に屹立し、スライダー伸縮によって不均衡にしたモーメントで回転して発電する（特許文献３）がある。更にアームをなすエアー．シリンダー３対が水平の回転軸外周に均衡して配置した上、対のシリンダーを伸縮して生じしめる不均衡にしたモーメントで軸回転し、電気に変換する（特許文献４）がある。【０００３】
【特許文献１】  昭５９−５８８８号広報
【特許文献２】  特開２００１−３５６５９５号公報
【特許文献３】  特開２００８−２２３７４２号公報
【特許文献４】  特願２００９−１２５０２３号広報
【０００４】文献１は丸棒が中心軸を落下移動する慣性エネルギーを、中心軸の回転力に変換せしめるものである。だが丸棒の落下が回転モーメントを増加する一方で、反回転側の支点間距離が長大し回転と反回転が均衡したモーメント増加をする。文献２は単独の回転体に伸縮シリンダーを多搭載し、伸縮に伴った長さ変化相当のモーメントを軸回転モーメントにするものである。だが瞬時に多数が頻発するシリンダー伸縮制御の時間と、大量の伸縮媒体を瞬時に補給する手段の問題が残る。文献３は単独の回転体に伸縮スライダーを多搭載して油圧制御する構成であり、瞬時にし頻繁となる多数シリンダーの伸縮制御には、高圧且つ大量の作動油を瞬時に補給する必須条件が残る。更にアーム３対づつをホルダー４ヶに配置する文献４に於いても、同様に瞬時にする伸縮時間の担保が困難である。【０００５】当該出願は特許文献１及び文献２文献３を精査する一方、文献４の実証実験で把握した瞬間且つ頻繁にする担保困難な、シリンダー伸縮の制御時間に対し緩和措置を講じて再出願するものです。
【発明の開示】
【発明が解決しようとする課題】
【０００６】火力並びに原子力発電は、地球の温暖化防止並に環境保全及び安全性の観点からは不適切である。【０００７】日常生活に不可欠の石油及び電気エネルギーであるが、石油資源が枯渇寸前の今日は電気創出にも影を落とす。【０００８】平成２３年３月の東日本大震災に伴う福島第一原発の事故は、半径２０Ｋｍ範囲の住民に放射性物質の影響を及ぼし、原発の危険性を実証している。【０００９】又、放射性物質は近辺を高濃度に汚染し農、水、畜産業に甚大な被害を及した上、土壌等に膨大な回復時間の負債を残している。【００１０】のみならず住民には避難生活を余儀なくさせ、産物に対しても放射線量の表示を要求して活性を妨げた実績がある。【００１１】更には経済の活性を貶める偏見をして、復旧の目途もないまま阻害した経過がある。【００１２】加えて原発には核のゴミと称する、使用済み燃料の処理問題が未解決の儘である。【００１３】福島第１原発の事故に伴い、世論は原子力発電の廃止方向で推移したものの、効果的な方策のない現状では飛躍的な進展がなく、再稼働の動きになっている。【００１４】更には廃炉するに於いても、建屋解体に伴って飛散する放射性物質が影響し、再度の風評被害及び、放射線量の表示要求をして阻害する懸念が残る。【００１５】原子力発電は電気創出の根幹をなす一角ではあるが、誰もが核爆発や放射性物質に対し潜在的な恐怖心をもつ。【００１６】水力や風力並に太陽光発電等の再生可能エネルギーは自然条件に左右され、最大出力による常時稼働は不可能である。【００１７】電気料金は製品原価に直接影響するだけでなく、小売迄の販売過程で間接的に関与して価格に付加される、低減すべき原価要素である。
【課題を解決させるための手段】
【００１８】内径空間をエアー供給路とする外径１６０〜２００の中空回転軸（図４）１を、基礎と一体のコンクリート台上（図４）２０に水平に配置した上、キー溝を外周上の円周一方向に軸中心角の１５°づつをずらして配置し、４ヶのアーム．ホルダー（図１）２が軸受で軸方向両側を支持しつつ合致する。
【００１９】該軸の、軸受部及びホルダー配置部を同径にした上、軸方向に２分割し通常ハメ合い公差にするブッシング３がホルダー及び、ころがり軸受を内外接して配置すると共に、該軸とホルダー空洞のエアー供給孔を中継する。
【００２０】２分割するブッシングが外周に分割面直角のボルト穴及びタップ穴を施し、外表面に露出しないボルト締めをして該軸上に組立つ。
【００２１】軸円形断面中心の６０°毎を仮想範囲とする１２角の短柱状ホルダーが、起点を該中心の垂直上となる外周の平面中心とし、該中心角の  ３０°づつがずれる各範囲２平面の平面中心に、アーム（図８）８を４本づつ垂直に搭載して該軸に配列する。
【００２２】ホルダー中心の対角外周で等しい長さと負荷で対称の対をなし、等間隔の複列で放射状に屹立するアームが、該中心の垂直位置に至る回転又は、反回転側アームを８回転毎に１対づつを順次に伸縮する。
【００２３】アームをなすストローク概１．５ｍのエアーシリンダーが、負荷移動レール（図８）を配置しＰｂ等負荷概１００Ｋｇを滑らかに伸縮移動する。
【００２４】ホルダーの仮想範囲２平面にアームが、正確且つ迅速に垂直の屹立をする措置（００２５）〜（００２８）をした上、６範囲の１２平面に搭載するアームを順次伸縮する。
【００２５】ホルダー外周１２平面に、先端に逃げを施す円錐穴及びボルト穴を施した上、該穴と一致する形状で突出する、アーム取付け部を合致して垂直に屹立しフランジ固定する。
【００２６】ホルダー多角外周の上向きの平面中心に、アームを懸垂して対毎に配置する。
【００２７】それによってアーム自重が取付け面をホルダー円錐穴に正確且つ迅速に導く。
【００２８】該軸円形断面の中心垂直上となるホルダー外周平面の中心に、垂直に屹立する措置の円錐穴を施してアームを配置しボルト固定する。
【００２９】伸長したアームが軸方向に断続的らせん状をなすように、軸中心角の１５°づつを円周一方向にずれキー接続するブッシングに、４ヶのホルダー（図１）２が内接してキーを継ぐ。
【００３０】これによって、範囲内アーム１本づつを負荷変動を粗密に均整する均等間隔の一定周期で伸縮し、恒常にした無限の定量的トルクで該軸が回転する。
【００３１】その上で回転側のエアー．シリンダーを伸長する一方、反回転側を縮小する一連の操作を自動制御して、各範囲の３対が逐次反復し該軸に等速の回転運動をなさしめる。
【００３２】コンクリート台又は、フレーム（図４）６に取付け台を設置して近接センサー等を配置した上、垂直線上方又は下方位置を検知する反射板等をアームに配置し、対のアームを同時に伸縮制御する。
【００３３】アーム並に取付け台に配置する鏡面状の反射板並に近接センサー等が、対毎に検知位置をずらす専一の検出で、専一の２方電磁弁等を制御しアームの伸長又は縮小をする。
【００３４】回転周期は０．３３秒／回転（数１）であり、瞬間且つ頻繁なアーム伸縮周期を８回転にＩ度の頻度に軽減する、（００３５）（００３６）の措置を施して延引する。
【００３５】該軸円形断面の中心垂直上にする外周平面中心を起点にして、ホルダー外周に屹立する複数アームが、専一の２方電磁弁等で１回転毎に順次に伸縮する分担をし、各範囲アームの頻繁な伸縮周期を８回転に１度の頻度に延引する。
【００３６】その分担は、ホルダー外周に均等の分布をして屹立する複数の範囲内アームが、右又は左廻りの順序で時期に整合する伸縮をし、周期を８倍に延引した最大限の効率で出力する。
【００３７】分担は、伸長直前位置の反回転側シリンダーが伸縮時期に即応して遅滞なく伸縮し、最大効率で回転するように、伸縮間際にゆとりの間を生じしめ順調な伸縮を促す。
【００３８】対毎の伸縮時期を専一にする近接センサー等が検知した上、専一の電磁弁が同調してエアー供給及び背圧排除をし、シリンダー１対づつを順次伸縮する。
【００３９】軸円形断面の中心角度６０°を保ちつつ、対をなす各範囲アームが伸縮する。
【００４０】該軸外周の軸中空部と導通し周囲に溝及びＯリング等を配置する孔と、ホルダー内部空洞に導通する孔を、外周に溝及びＯリング等を配すブッシングが中継孔を合致してエアー中継する。
【００４１】軸円形断面の中心で軸方向に２分割するホルダーの分割面両端に、該面直角のボルト穴を外周に施した上、該軸外周上を環循する内部構造にし分割面に露呈する空洞周囲に溝及びＯリング等を配置し、ボルト等で密着する固定をして軸上に配列する。
【００４２】圧縮装置供給の圧縮エアーを貯留タンクに貯留した上、回転軸の片側端末にロータリー．ジョイント（図６）を配置して管接続し、軸中空部にエアーを供給する。
【００４３】該軸中空部からホルダー内部の空洞に圧縮エアーが良好に流れるように、中空部と導通する軸外周の孔にブッシング中継孔が合致した上、２分割するホルダー一片の内部空洞と導通する孔が合致して軸に配列する。
【００４４】アーム取付け部を外すホルダー外周平面に、ホルダーの内部空洞と導通するエアー供給孔を配置してニップル等管継手が接続し、シリンダーへのエアー供給路をなす。
【００４５】アーム胴部外周の取付け具に配置する２方電磁弁等に、ホルダーからの供給管及び回収管に繋ぐ排気管並に、シリンダーへのエアー供給管及び背圧の排気管が接続する。
【００４６】中空回転軸のエアー供給する他端から、回収管を水平に配置してロータリー．ジョイント（図６）を配置した上、電磁弁が回収したシリンダー背圧の排気管を次述の如く接続する。
【００４７】該軸外周面から排気管が管接続して支持し中空回転軸内にする回収管が、一方端末を塞ぐ他方端末にロータリー．ジョイント（００４６）を配置し排出管に繋げる。
【００４８】電磁弁に繋ぐ排気管のニップル等が、回転軸の内径内に配置する回収管の外周に配置したソケット等に、該軸外周面から管接続して該管を支持する。
【００４９】回収タンクの回収エアーを損失補填の再加圧をした上、逆止弁を配置した貯留タンクに貯留し電磁弁等に供給する。
【００５０】それは出力の全てを圧縮装置の電力消費に奪われないように、シリンダー背圧を回収して正規圧力に加圧して再利用すると共に、回収タンクの内圧上昇を予防する。
【００５１】軸の片端にフライ．ホイール等を配置し円滑な軸回転を図る。
【００５２】フレームと接近するアーム回転の外周近いシリンダー胴部に、カム．フォロアー等（図８）１０を配置する。
【００５３】カム．フォロアー等の周回軌道に即したガイドレール（図４）５をフレームに配置し円滑な回転を図る。
【００５４】当該及び隣設アーム回転体のフレームが基礎で固定した上、アーム縦回転と非接触にしてガイドレールを支持する。
【００５５】最大限の出力を得る措置（００１８）〜（００５４）を施し、複数の該軸回転力をチェーン及びスプロケット等伝達具で増速しつつ、並列の接続をして回転主軸に集合せしめ、商用電源に倣う電気周波数の回転数に調整した上で発電機を稼働する。
【００５６】各回転軸にクラッチ等を配置して接続又は遮断する調整で、需要量に応じる出力を回転主軸に伝達する。
【００５７】膨大な発電量の要求には、回転主軸複数（００５５）が電気変換後に集合して応じる。
【００５８】屋内に設置して風雨の影響を除いた、回転軸１０ヶでの出力試算は数１である。
【００５９】
【数１】
【発明の効果】
【００６０】競争の原理に基いた競合（００７９）〜（００８１）による、料金設定で低廉化が望める。
【００６１】地球温暖化の要因の１つであるＣＯ２等排出規制ガスを抑止した上、放射性物質等を皆無にした非環境汚染の電気創出をする。
【００６２】危険が伴う核エネルギー利用と比較し、当該発明は自然の理に沿い安全且つ無害である。
【００６３】当該発明は燃料等を不要にして、恒久に電気エネルギーを創生する抜本的な対策であり、必要量を無限に発電した上で原子力並に火力発電の全面撤廃を可能にする。
【００６４】更には風雨や風雪に対する防護を必要とするものの、常に最大出力で安定する定量の発電をして将来のエネルギー展望に活路を開く。
【００６５】原子力並に火力発電のように熱源を必要としない当該発明は、高温高圧の冷却配管並に水源やタービン等の付帯設備を省く。
【００６６】暖房システムを、電気エネルギーを比熱の大きな熱媒に熱交換してユース．ポイントで熱放散するように確立し、暖房用燃料を不要にする。
【００６７】暖房を含む電化製品を更に開発普及し、石油エネルギーから家庭及び工業用エネルギーを脱却させる。
【００６８】需要の増減に伴う発電量の変化には、クラッチ等の即時調整で需要に応じ対応できる。
【００６９】出力１２００ＫＷ強に予測される回転主軸１本の所要面積は２０×３０ｍに推定され、太陽光発電等に比較し出力規模の対比面積は悠に小さい。
【００７０】頻繁に上下動する海上及び空中では不適にするが、近距離での人間及び貨物の移動手段を陸上に固定する方法で確立し、交通渋滞の緩和及び不要な燃料消費の削減が図れる。
【００７１】使用時間に拘束されない恒久の電気エネルギーを安全且つ安価に創生し、原子力並に火力発電の全面撤廃が可能となる。
【００７２】不安要素を排除する以上を実施しての安心及び安全を得た上、石油動向に影響されない安定する経済を構成する。
【００７３】当該装置を世界普及し核利用を最小限に止めた平和維持に貢献する。
【発明を実施するための最良の状態】
【００７４】適正にする該発明の実施例を下記に記す。
【実施例】
【００７５】圧縮エアー配管の供給回路にはレシーバタンク並に、圧力調整器及びドレンの排出装置を配置し湿度を極力低減して供給する。【００７６】検知した垂直時期に即応してシリンダー伸縮し最大出力するように、シリンダー及び給排気管を極力大口径化すると共に、供給エアーの圧力及び量を充足して供給する。【００７７】電力企業を発電並に販売事業者に分割し、管轄地区の職務を分担して担う。【００７８】発電事業者の職務分担は、変電を含む発電及び送電並に付随する装置の維持管理及び、保全業務等である。【００７９】一方、販売事業者は所轄する発電事業者に報酬をなすと共に、入札等で決定する金額での販売及び徴収をする。【００８０】入札は複数の管轄を跨いで重複する、複数の販売事業者並に新規参入者が提示する最低額の電力単価で落札者を決定する。【００８１】落札額に基く料金制にした上で、その任期を所定期間の１期のみに限定する。【００８２】以上を実施して料金高騰の抑制及び、事業の独占化を回避する。【００８３】最大効率で出力する措置（００１８）〜（００５６）をする回転主軸又は、回転軸の回転数を商用に倣う電気周波数の回転数に変換した上で発電機を駆動する。【００８４】圧縮装置は商用電源を用いて稼働し、創出電力は商用として送電する。【００８５】アームに配置し管接続する電磁弁が、ホルダー空洞部を経る圧縮エアーをシリンダーに供給すると共に、シリンダー背圧を回収管に排出する。【００８６】エアー供給のロータリー．ジョイントが接続する他端から、中空回転軸内に回収管を挿入して回収用ロータリー．ジョイントで固定し、補正の圧縮装置に繋ぐ排出管が接続する。【００８７】内径Φ１００ストローク１．５ｍ、ピストン．ロッド径をΦ３０に仮定する、アーム６ヶをホルダー外周に配置した当該装置での、圧縮装置の必要容量は数２である。【００８８】
【数２】
【００８９】電磁弁等制御機器を繋ぐ制御盤の二次配線が、該軸表面に施す軸方向の溝内を潜行して軸受及びホルダーを通過した上、該軸片端外周の通電部を絶縁体で被覆するロータリー通電器（図７）に接続する。
【００９０】該軸端末に配置し軸中空部にエアー供給並に通電を中継する、ロータリー．ジョイント並にロータリー通電器が、該軸回転中でも支障なく給気及び回収並に通電をする。
【００９１】負荷が周回するガイドレールの外周及び側面並に、該軸回転を主軸に伝達する部位に危険防止の保護カバーを配置しフレーム等で支持する。
【００９２】回転停止は全てのアームを縮小した上で、下側アームのみを伸長し回転軸を制動する。
【００９３】該装置は設置数量に比例して無限に出力し、アームのストロークと負荷量に比例した出力増減をするが、回転軸及びアーム強度との比較になる。
【００９４】アーム数量及びストロークの過剰な増加は、シリンダー伸縮制御を煩雑にし困難を招く。
【００９５】回転軸及びフレームはアーム及び負荷並にホルダーの総重量を勘案し、機械強度の有る構成をなす。
【図面の簡単な説明】
【００９６】
【図１】水平の回転軸上にアーム．ホルダー２が配置し、軸円形断面の外周６０°毎の各範囲内に、軸中心で対称をなすアーム８を８本づつ配置する側面断面図と、矢視方向の正面図である。回転軸に配置するホルダー４ヶが、外周一方向に該軸中心角の１５°づつをずらした、該軸のキー溝に合致して配列する。
【図２】１２角短柱状ホルダー２の外周で軸中心角６０°毎を仮想範囲にし、３０°ずれる２面にアーム８が屹立する正面図及び側面図である。２面の外周範囲にアーム４本づつ８本を垂直に配置する。
【図３】軸回転の９０°毎にアームの伸縮状態を表示する、軸円形方向の断面図である。該軸中心の６０°毎の各仮想範囲が６０°を保ちつつ、回転及び反回転側に達した範囲内のアーム８対の内１対づつを順次に伸縮する。
【図４】カム．フォロアーの周回軌道に添うガイド．レール５を、フレーム６が支持する側面図である。
【図５】複数の原動装置が、商用電気周波数の回転数に調整する変速機を介し発電機に継ぐ、平面配置図である。回転主軸１１に回転軸１の回転をチェーン及びスプロケット１４が並列に接続して伝達した上で変速機を継ぐ。
【図６】中空の回転軸両端に、ロータリー・ジョイントが組立つ縦断面図である。回転軸１の両端末に、夫々から密閉型軸受けを配すロータリー．ジョイント１７が配置し、エアー供給管１５又は排気回収管１６をネジ接続をして配置する。供給管及び回収管の静止を維持しつつ回転軸が回転する。
【図７】回転軸に配置したロータリー通電器の縦断面図である。回転軸端面に配置する該通電器が、制御機器と接続するリング状接触接触端子１７に、制御盤の二次配線を接続する給電側板バネ状端子１８を、接触して制御機器に通電する。
【図８】負荷９、カム．フォロアー１０を備えてフランジ４を配置してホルダー外周にする、アームをなす８伸縮シリンダーの縦断面図である。
【図９】円錐形に突起する取付け部のアームを、ホルダー外周の円錐形溝に自重で導いて屹立する中心断面図である。
【図１０】ホルダー又は軸受が回転軸に組立つ際の縦断面図である。通常ハメ合い公差で軸方向に２分割するブッシングが、内外接して軸にホルダー又は軸受を配置する。
【符号の説明】
【００９７】１．中空回転軸
２．アーム・ホルダー
３．ブッシング
４．アーム取付フランジ
５．ガイド・レール
６．フレーム
７．架台
８．エアー・シリンダー
９．負荷
１０．カム・フォロアー
１１．回転主軸
１２．増速装置
１３．軸継手
１４．チェーン及びスプロケット
１５．エアー供給管
１６．排気回収管
１７．ロータリー・ジョイント
１８．リング状接触端子
１９．給電側板バネ状端子
２０．コンクリート台
【図１】
2017075592.tif 000005
【図２】
2017075592.tif 000006
【図３】
2017075592.tif 000007
【図４】
2017075592.tif 000008
【図５】
2017075592.tif 000009
【図６】
2017075592.tif 000010
【図７】
2017075592.tif 000011
【図８】
2017075592.tif 000012
【図９】
2017075592.tif 000013
【図１０】
2017075592.tif 000014
【手続補正書】
【提出日】平成27年12月16日(2015.12.16)
【手続補正２】
【補正対象書類名】明細書
【補正対象項目名】０００２
【補正方法】変更
【補正の内容】
【０００２】  従来の発電方法には、両端に錘を配す直線状丸棒４本が中心軸の円周方向に均等角度を振分ける等間隔で配置し、軸回転に伴って丸棒が軸中心を落下移動する慣性エネルギーを、軸の回転モーメントに変換する（特許文献１）がある。又水平の回転軸外周に、軸中心で対称の対をなすシリンダー多数が、交互の千鳥状且つ干渉ない放射状に屹立して伸縮し、不均衡にしたモーメントで回転する（特許文献２）がある。更に水平の回転軸外周に、伸縮スライダー多数が軸中心で対をなす放射状に屹立し、スライダー伸縮によって不均衡にしたモーメントで回転して発電する（特許文献３）がある。更にアームをなすエアー．シリンダー３対が水平の回転軸外周に均衡して配置した上、対のシリンダーを伸縮して生じしめる不均衡にしたモーメントで軸回転し、電気に変換する（特許文献４）がある。
【手続補正３】
【補正対象書類名】明細書
【補正対象項目名】００１９
【補正方法】変更
【補正の内容】
【００１９】  通常ハメ合い公差で内外接し軸方向に２分割するブッシング（図１０）３が、軸からホルダー空洞へのエアー供給を中継し、ホルダー及び軸受を配置の該軸からホルダー空洞へのエアー供給孔を継ぐ。
【手続補正４】
【補正対象書類名】明細書
【補正対象項目名】００３０
【補正方法】変更
【補正の内容】
【００３０】  これによって負荷変動を粗密に均整する、均等間隔の一定周期で範囲内アーム一本づつを伸縮し、恒常且つ無限にした定量的トルクで該軸を回転する。
【手続補正５】
【補正対象書類名】明細書
【補正対象項目名】００４６
【補正方法】変更
【補正の内容】
【００４６】  中空回転軸のエアー供給する他端から回収管を水平に配置し、ロータリー．ジョイント（図６）を配置した上、電磁弁で回収したシリンダー背圧の排気管を次述の如く接続する。
【手続補正６】
【補正対象書類名】明細書
【補正対象項目名】００８６
【補正方法】変更
【補正の内容】
【００８６】  圧力補正する装置に繋ぐ回収エアーの排出管を、エアー供給のロータリー．ジョイントが接続する他端に接続し、回収管を中空回転軸内に挿入する回収用ロータリー．ジョイントが固定する。
【手続補正書】
【提出日】平成28年8月29日(2016.8.29)
【手続補正１】
【補正対象書類名】特許請求の範囲
【補正対象項目名】請求項１
【補正方法】変更
【補正の内容】
【請求項１】
水平の回転軸に配列するアーム．ホルダーが、該軸中心の垂直上となる外周の平面中心を起点にした軸円周を均等分割する軸中心角度を範囲とし、軸方向に断続的らせん状をなすように軸円周一方向に均等の軸中心角度をずらしつつ一体的な等間隔で該軸に配列し、短柱状の多角外周にするホルダー複数に、アームをなすエアーシリンダー等が外周を６分割する範囲の外周平面中心に同量の負荷移動レール及び、Ｐｂ等負荷を備え垂直に屹立して複列にする放射状をなして該軸中心の対角で均衡した対をなし、更にはシリンダー伸縮の圧縮エアーを回収して加圧流用し、且つ瞬間的に頻発するアーム伸縮周期を近接センサー等並に反射板等がフレーム等並にアームに配置してアーム１対づつを専一に検知し、同調する複数アームが順次の分担をして延引する淀みない伸長の間を持った上、回転又は反回転側に到達するアームを圧縮エアー等が伸長又は縮小して回転せしめる回転軸複数を、回転主軸に集合して商用に即す電気周波数の回転数で発電する構成にし、更にホルダー外周の平面中心に円錐形穴と一致する形状で突出した取付け部のアームが迅速且つ正確な配置をし、複数アームが相乗して回転角度変化に伴うモーメント変化を疎密に均整すると共に、燃料等を不要にした非環境汚染の回転運動で常時一定の最大出力を低廉に発電し、エネルギー展望に活路を拓くと共に原子力及び火力発電の全面撤廃並に経済の活性化を促す、電気エネルギーの発電方法。
【手続補正２】
【補正対象書類名】明細書
【補正対象項目名】００５９
【補正方法】変更
【補正の内容】
【００５９】
【数１】
2017075592.tif 000015
【手続補正３】
【補正対象書類名】明細書
【補正対象項目名】００８８
【補正方法】変更
【補正の内容】
【００８８】
【数２】
2017075592.tif 000016